(57)【要約】【課題】ユーザによる撮像画像の確認がなされずに、撮像画像が保存されると、その画質によってはユーザを大きく落胆させる事態が生じうる。また、保存された画像が意図した通り撮影できていない事態に気づくと、同じような画像を得る機会は失われてしまう。そのため、保存された撮像画像の画質が、ユーザが意図する画質よりも低いことを通知する撮像装置が、望まれる。【解決手段】撮像装置は、表示部と、記憶部と、撮像画像の画質に関する良否を判定する判定部と、撮像画像を記憶部に保存する際に、撮像画像の画質の良否に関する情報を表示部に表示する画質通知部と、を備える。【選択図】図１
2014107748.tif 000002
【特許請求の範囲】
【請求項１】
表示部と、
記憶部と、
撮像画像の画質に関する良否を判定する判定部と、
前記撮像画像を前記記憶部に保存する際に、前記撮像画像の画質の良否に関する情報を前記表示部に表示する画質通知部と、
を備えることを特徴とする撮像装置。
【請求項２】
前記判定部は、前記撮像画像から得られる特徴量に基づいて、前記撮像画像の画質の良否を判定する請求項１の撮像装置。
【請求項３】
前記判定部は、前記撮像画像から得られるコントラスト値を用いて、前記撮像画像の画質の良否を判定する請求項１又は２の撮像装置。
【請求項４】
前記判定部は、
前記撮像画像に対応する撮像前の画像から得られるコントラスト値の第１のピーク値と、
前記撮像画像から得られるコントラスト値の第２のピーク値と、
の差分値が、所定の範囲に含まれるか否かに応じて、前記撮像画像の画質の良否を判定する請求項１乃至３のいずれか一項に記載の撮像装置。
【請求項５】
前記判定部は、
オートフォーカス機能が焦点を定める際のフォーカス領域に対応する画像から、前記第１のピーク値を算出すると共に、
前記撮像画像の前記フォーカス領域に対応する画像から、前記第２のピーク値を算出する請求項４の撮像装置。
【請求項６】
筐体の内部に配設された加速度センサを備え、
前記判定部は、画像を撮像する前後の前記加速度センサの出力値の変化に基づいて、前記撮像画像の画質の良否を判定する請求項１乃至５のいずれか一項に記載の撮像装置。
【請求項７】
前記画質通知部は、前記判定部により前記撮像画像の画質が良好であると判定された場合には、前記表示部に前記撮像画像の画質はユーザの意図に沿った画質であることを表示する請求項１乃至６のいずれか一項に記載の撮像装置。
【請求項８】
前記画質通知部は、前記判定部により前記撮像画像の画質が不良であると判定された場合には、前記表示部に前記撮像画像の画質はユーザの意図に反する画質であることを表示する請求項１乃至７のいずれか一項に記載の撮像装置。
【請求項９】
表示部と、
記憶部と、
を備える撮像装置の制御方法であって、
撮像画像の画質に関する良否を判定する画質判定工程と、
前記撮像画像を前記記憶部に保存する際に、前記撮像画像の画質の良否に関する情報を前記表示部に表示する画質通知工程と、
を含むことを特徴とする撮像装置の制御方法。
【請求項１０】
表示部と、
記憶部と、
を備える撮像装置を制御するコンピュータに実行させるプログラムであって、
撮像画像の画質に関する良否を判定する画質判定処理と、
前記撮像画像を前記記憶部に保存する際に、前記撮像画像の画質の良否に関する情報を前記表示部に表示する画質通知処理と、
を実行するプログラム。
【発明の詳細な説明】
【技術分野】
【０００１】
本発明は、撮像装置、その制御方法及びプログラムに関する。
【背景技術】
【０００２】
近年、携帯電話やスマートフォン等の携帯電子機器にカメラ機能が搭載されていることが多く、多くのユーザが写真撮影や動画撮影を行う環境にある。ユーザがこのような携帯電子機器に搭載されたカメラ機能を使用する際、タッチパネルを操作してシャッタを押す場合が多い。
【０００３】
また、携帯電子機器は、その筐体における一面の面積の大半が表示領域であることが多い。そのため、このような携帯電子機器を用いて撮影を行う場合には、表示領域に表示されたプレビュー画面を視認しながら、撮影する必要があるため、ユーザは携帯電子機器をしっかりと固定できない場合がある。その結果、撮影の際に携帯電子機器自体が動いてしまい、撮像した画像がぼやける等の画質の劣化が生じることがある。
【０００４】
特許文献１において、画像がぼやけているか否かを良好に判定することのできる画像判定装置が開示されている。
【０００５】
また、特許文献２において、画像が成功画像であるか否かの判定を行え、画像が成功画像であると判定された場合に、成功画像を記憶媒体に記憶することができる撮像装置が開示されている。
【先行技術文献】
【特許文献】
【０００６】
【特許文献１】特開２０１２−１６００３８号公報
【特許文献２】特開２００６−０６７２４９号公報
【発明の概要】
【発明が解決しようとする課題】
【０００７】
なお、上記先行技術文献の各開示を、本書に引用をもって繰り込むものとする。以下の分析は、本発明者らによってなされたものである。
【０００８】
ユーザが、携帯電子機器を使用して、写真撮影等をする場合には、プレビュー画面において、画像の確認を行った後、シャッタを押すのが通常である。その後、撮像画像が、液晶パネル等に表示され、ユーザの意図通り画像の撮影が行えたかを確認するのが、通常の操作方法である。
【０００９】
一方、近年では、連続してシャッタを押すことができる携帯電子機器の普及が始まっており、このような機器では、撮像された画像は即座に保存されることが多い。つまり、このような連続してシャッタを押すことができる携帯電子機器では、画像を確認する表示を行わず、撮像後に直接、プレビュー画面に遷移することが多い。あるいは、携帯電子機器の設定メニューにおいて、撮像画像の確認を省略し、自動的に画像を保存する機能を備える機器も存在する。
【００１０】
しかし、ユーザによる撮像画像の確認がなされずに、撮像画像が保存されると、保存された画像を見返した際に、初めて意図通りの撮影ができていないと気付くことがある。特に、手ぶれ等により、記憶された撮像画像がぼけてしまった場合には、撮影する前にプレビュー画面で確認した画像には問題はないことから、保存された撮像画像を見返した際に、意図通り撮影できていないと、ユーザは大きく落胆することになる。また、撮影した場所から離れた所や、相当程度の時間が経過した後に、保存された画像を確認した場合に、保存された画像が意図した通り撮影できていない事態に気づくと、同じような画像を得る機会は失われてしまう。また、撮像画像を表示画面の隅に小さく表示する携帯電子機器も存在するが、このような方法では、撮像画像の画質が意図したとおりであるかを確認することは困難である。
【００１１】
そのため、保存された撮像画像の画質が、ユーザが意図する画質よりも低いことを通知することのできる撮像装置、その制御方法及びプログラムが、望まれる。なお、特許文献１及び２には、保存された撮像画像の画質に関する通知をユーザに対して行う技術は開示されていない。
【課題を解決するための手段】
【００１２】
本発明の第１の視点によれば、表示部と、記憶部と、撮像画像の画質に関する良否を判定する判定部と、前記撮像画像を前記記憶部に保存する際に、前記撮像画像の画質の良否に関する情報を前記表示部に表示する画質通知部と、を備える撮像装置が提供される。
【００１３】
本発明の第２の視点によれば、表示部と、記憶部と、を備える撮像装置の制御方法であって、撮像画像の画質に関する良否を判定する画質判定工程と、前記撮像画像を前記記憶部に保存する際に、前記撮像画像の画質の良否に関する情報を前記表示部に表示する画質通知工程と、を含む撮像装置の制御方法が提供される。
なお、本方法は、表示部と、記憶部と、を備える撮像装置という、特定の機械に結びつけられている。
【００１４】
本発明の第３の視点によれば、表示部と、記憶部と、を備える撮像装置を制御するコンピュータに実行させるプログラムであって、撮像画像の画質に関する良否を判定する画質判定処理と、前記撮像画像を前記記憶部に保存する際に、前記撮像画像の画質の良否に関する情報を前記表示部に表示する画質通知処理と、を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１５】
本発明の各視点によれば、保存された撮像画像の画質が、ユーザが意図する画質よりも低いことを通知することに寄与する撮像装置、その制御方法及びプログラムが、提供される。
【図面の簡単な説明】
【００１６】
【図１】一実施形態の概要を説明するための図である。
【図２】第１の実施形態に係る撮像装置１の外観の一例を示す図である。
【図３】撮像装置１の内部構成の一例を示す図である。
【図４】撮影時に液晶パネル１０に表示される画面の一例を示す図である。
【図５】撮像装置１の動作の一例を示すフローチャートである。
【図６】撮像装置１の動作の一例を示すフローチャートである。
【発明を実施するための形態】
【００１７】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１８】
上述のように、ユーザによる撮像画像の確認がなされずに、撮像画像が保存されると、その画質によってはユーザの大きく落胆させる事態が生じうる。また、保存された画像が意図した通り撮影できていない事態に気づくと、同じような画像を得る機会は失われてしまう。そのため、保存された撮像画像の画質が、ユーザが意図する画質よりも低いことを通知する撮像装置が、望まれる。
【００１９】
そこで、一例として図１に示す撮像装置１００を提供する。撮像装置１００は、表示部１０１と、記憶部１０２と、撮像画像の画質に関する良否を判定する判定部１０３と、撮像画像を記憶部１０２に保存する際に、撮像画像の画質の良否に関する情報を表示部１０１に表示する画質通知部１０４と、を備える。
【００２０】
撮像装置１００は、撮像画像を記憶部１０２に保存する際に、その撮像画像の画質に関する良否に関する情報を表示部１０１に表示する。撮像装置１００は、手ぶれ等の影響により、プレビュー画面で確認した画像とは異なる撮像画像が最終的に得られた場合、即座にユーザに通知する。そのため、ユーザは、保存された撮像画像の画質が、ユーザが意図する画質よりも低いことを認識することができる。即ち、撮像装置１００は、保存された撮像画像がユーザにとって好ましくない画質であることを、ユーザに認識させることで、撮像画像の画質に問題があることを認識させると共に、再撮影を促すことができる。
【００２１】
以下に具体的な実施の形態について、図面を参照してさらに詳しく説明する。
【００２２】
［第１の実施形態］
第１の実施形態について、図面を用いてより詳細に説明する。
【００２３】
図２は、本実施形態に係る撮像装置１の外観の一例を示す図である。なお、本実施形態に係る撮像装置１は、カメラ機能を備えるスマートフォンとして説明するが、撮像装置１をスマートフォンに限定する趣旨ではない。撮像装置１には、例えば、携帯電話、デジタルカメラ、ＰＤＡ（Personal Digital Assistant）等の機器が考えられる。即ち、撮像装置１は、カメラ機能と、液晶パネル等の表示デバイスと、を備えていればよい。
【００２４】
撮像装置１は、液晶パネル１０と、タッチパネル２０と、レンズ３０と、を備えている。なお、レンズ３０は、液晶パネル１０とは相対する面に配設されているため、図２には図示していない。
【００２５】
液晶パネル１０は、画像を表示する表示デバイスである。タッチパネル２０は、ユーザによる撮像装置１の操作を受け付ける操作デバイスである。レンズ３０は、液晶パネル１０と相対する面に配設され、被写体の撮像を可能にする。
【００２６】
図３は、撮像装置１の内部構成の一例を示す図である。なお、図３において図２と同一構成要素には、同一の符号を表し、その説明を省略する。
【００２７】
撮像装置１は、液晶パネル１０と、タッチパネル２０と、カメラモジュール４０と、ＤＳＰ（Digital Signal Processor）５０と、ＣＰＵ（Central Processing Unit）６０と、ＲＡＭ（Random Access Memory）７０と、ＨＤＤ（Hard Disk Drive）８０と、を含んで構成される。
【００２８】
カメラモジュール４０は、レンズ３０を含み、撮像装置１のカメラ機能を実現する。カメラモジュール４０には、撮像素子（図示せず）やレンズ３０を移動するアクチュエータ（図示せず）等が含まれ、画像信号の取得が可能である。取得した画像信号は、ＤＳＰ５０において画像処理された後、撮像画像としてＲＡＭ７０に一時的に記憶される。
【００２９】
ＤＳＰ５０は、カメラモジュール４０が出力する画像信号に対して、信号処理を実施し、撮像画像の画質を調整する。
【００３０】
ＣＰＵ６０は、撮像装置１の各部を制御する制御部として動作し、撮像装置１に求められる機能を実現する。なお、ＣＰＵ６０に後に詳述する撮像装置１の動作を実行させるコンピュータプログラムにより、上述の判定部１０３及び画質通知部１０４を実現することができる。
【００３１】
ＲＡＭ７０は、ＣＰＵ６０がプログラムを実行する際のメモリとして使用される。あるいは、ＲＡＭ７０は、撮像画像を一時的に記憶する。ＨＤＤ８０は、ＣＰＵ６０に実行させるプログラムが格納される。また、ＨＤＤ８０は、撮像画像を記憶する。
【００３２】
図４は、撮影時に液晶パネル１０に表示される画面の一例を示す図である。図４を参照すると、液晶パネル１０における表示領域の大半を使ってプレビュー画面２０１が表示され、その左右に操作釦２０２が配置されることが分かる。なお、操作釦２０２は、シャッタや機能選択用のアイコンとして機能する。また、プレビュー画面２０１の中央には、フォーカス領域（オートフォーカス枠）２０３が表示される。さらに、必要に応じて、ポップアップ領域２０４に、ユーザの操作を助けるメッセージ等が表示される。
【００３３】
次に、撮像装置１の動作について説明する。
【００３４】
図５は、撮像装置１の動作の一例を示すフローチャートである。図５に示す動作は、動く被写体に自動的に焦点を合わせるコンティニアスＡＦ（Auto Focus）や、ユーザによるマニュアル操作により動作するＡＦ機能が、有効となっている場合の動作である。
【００３５】
ステップＳ１０１において、ＣＰＵ６０は、カメラモジュール４０を、ＤＳＰ５０を介して起動する。
【００３６】
ステップＳ１０２において、ＣＰＵ６０は、カメラモジュール４０から得られる撮像画像を、液晶パネル１０に表示させる（プレビュー画像を表示する）。
【００３７】
ステップＳ１０３において、ＣＰＵ６０は、ユーザの操作に応じて、コンティニアスＡＦ等のオートフォーカス動作の開始を、カメラモジュール４０に指示する。その際、ＤＳＰ５０は、フォーカス領域２０３に対応する領域の画像について、そのコントラスト値のピーク値を算出する。算出されたピーク値は、ＲＡＭ７０に一時的に記憶される。
【００３８】
ステップＳ１０４において、ＣＰＵ６０は、ユーザの操作に応じて、カメラモジュール４０に撮像を指示し、撮像画像を取得する。撮像画像は、一時的に、ＲＡＭ７０に記憶される。
【００３９】
ステップＳ１０５において、ＤＳＰ５０は、前ステップで取得された撮像画像におけるフォーカス領域２０３に対応する領域の画像に対して、再び、コントラスト値のピーク値を算出する。
【００４０】
ステップＳ１０６において、ＣＰＵ６０は、ステップＳ１０３において算出されたプレビュー画面における画像のコントラスト値のピーク値と、ステップＳ１０５において算出された撮像画像におけるコントラスト値のピーク値と、の差分値を算出する（コントラスト値のピーク値の比較を行う）。
【００４１】
ステップＳ１０７において、ＣＰＵ６０は、前ステップで算出された差分値が、所定の範囲内にあるか否かを判断する。なお、カメラモジュール４０の性能差に起因し、コントラスト値の上限及び下限には個体差が存在する。そのため、本ステップにおける所定の範囲を機種ごとに、又は、個体ごとに、調整することが望ましい。所定の範囲の選択が、適切でなければ、ユーザにとっては問題とならない微少なぶれであっても、撮像画像の画質に問題があると判断されることを防止するためである。
【００４２】
ピーク値の差分値が、所定の範囲内であれば（ステップＳ１０７、Ｙｅｓ分岐）、ＣＰＵ６０は、液晶パネル１０に、撮像画像の画質に問題がない旨の表示を行う（ステップＳ１０８）。即ち、ＣＰＵ６０は、コントラスト値の差分値が所定の範囲に含まれ場合に、撮像画像の画質は良好であると判定し、液晶パネル１０を用いて撮像画像の画質はユーザの意図に沿った画質であることを通知する。例えば、図４に示すポップアップ領域２０４に、「撮像画像の画質は良好です」といったメッセージや、○印を表示する。
【００４３】
ステップＳ１０９において、ＣＰＵ６０は、ＲＡＭ７０に一時的に記憶されていた撮像画像を、ＨＤＤ８０に保存し、プレビュー画面に戻る。
【００４４】
一方、ピーク値の差分値が、所定の範囲内でなければ（ステップＳ１０７、Ｎｏ分岐）、ＣＰＵ６０は、液晶パネル１０に、撮像画像の画質に問題がある旨の表示を行う（ステップＳ１１０）。コントラスト値のピーク値の差分値が、所定の範囲内に収まっていなければ、撮像画像には、ピントずれ、手ぶれが生じている可能性があると判断される。そこで、ＣＰＵ６０は、液晶パネル１０を通じて、ユーザに対して、撮像画像の画質が良好ではない可能性を通知する。
【００４５】
即ち、ＣＰＵ６０は、コントラスト値の差分値が所定の範囲から外れている場合に、撮像画像の画質は不良であると判定し、液晶パネル１０を用いて撮像画像の画質はユーザの意図に反する画質であることを通知する。その際、例えば、図４に示すポップアップ領域２０４に、「撮像画像の画質が良好ではありません」といったメッセージや、×印を表示する。なお、ポップアップ領域２０４にメッセージを表示する時間は、予め定めておく（一定時間経過後に、表示を消去する）。即ち、ポップアップ領域２０４の表示は、その表示時間を設定可能に設計しておき、数秒程度で自動的に消えるようにする。
【００４６】
その後、ＣＰＵ６０は、撮像画像をＨＤＤ８０に保存し、プレビュー画面に戻る（ステップＳ１１１）。
【００４７】
図５に示すフローチャートは、ＡＦ機能が有効となっている場合の動作の一例である。しかし、ＡＦ機能が無効である場合であっても、撮像画像の画質をユーザに通知することができる。
【００４８】
図６は、撮像装置１の動作の一例を示すフローチャートである。図６に示す動作は、ＡＦ機能が無効（即ち、固定焦点）となっている場合の動作である。図５に示す動作と図６に示すフローチャートの相違点は、図５のステップＳ１０３に相当する処理が存在しない（ステップＳ２０３が存在しない）点と、画質の良否を判定する際に用いる基準値が異なる点である（ステップＳ２０５〜Ｓ２０７）。従って、他のステップに関する詳細は説明する。
【００４９】
ステップＳ２０５において、ＤＳＰ５０は、撮像画像に対してコントラスト値の算出を行う。その際、ＡＦ機能は無効であり、フォーカス領域２０３に相当する領域は観念できないので、取得した撮像画像全体のコントラスト値を算出する。
【００５０】
ステップＳ２０６において、ＣＰＵ６０は、予め定められた値（デフォルト値）と、ステップＳ２０５において算出したコントラスト値と、の差分値を算出する。
【００５１】
なお、その際に使用するデフォルト値は、カメラモジュール４０から得られるコントラスト値のうち、最も高いコントラスト値を中心値とし、その中心値からある程度の幅をもった値から選択するのが望ましい。また、ステップＳ２０７における所定の範囲は、様々な条件の下で、撮影が行われることを考慮し、撮像画像の品質に問題がないと判断される範囲を多少広く設定しておくことが望ましい。
【００５２】
このように、ＡＦ機能が無効であっても、ユーザに対して、撮像画像の画質を知らせることができる。
【００５３】
また、本実施形態に係る撮像装置１が、加速度センサを備えている場合には、加速度センサの出力値を利用して、撮像画像の品質に問題があるか判断することができる。より具体的には、ＣＰＵ６０は、ＡＦ動作をした際の加速度センサが出力する値と、撮像時に得られる加速度センサが出力する値と、を比較する。
【００５４】
ＣＰＵ６０は、上記の比較を行った結果、撮影時における加速度センサの出力値が、ＡＦ動作時の加速度センサの出力値よりも大きい場合には、手ぶれが生じた可能性が高いと判断し、画質に問題があるとする。即ち、撮影時の加速度センサの出力値が大きければ、撮像装置１自身が大きく揺れたことを意味するためである。このように、ＣＰＵ６０は、画像を撮像する前後の加速度センサの出力値の変化に基づいて、撮像画像の良否を判定する。
【００５５】
その結果、ＤＳＰ５０における画像処理による手ぶれ補正では、対応できない手ぶれが生じている場合であっても、ユーザに対して再撮影の機会を提供することができる。
【００５６】
以上のように、本実施形態に係る撮像装置１は、撮像画像を保存する際に、撮像画像の画質の良否を、撮像画像から得られる特徴量（例えば、コントラスト値）に基づいて、判定し、判定結果に応じた表示を行う。ユーザは、撮像画像の画質に問題がある画像が保存されたことを知ることができるので、再び、撮影を行うことができる。即ち、撮像装置１は、撮像画像を自動的に保存する設定で使用している場合であって、撮像画像の画質に問題がある場合であっても、ユーザに再撮影を行う機会を提供することができる。
【００５７】
また、撮像装置１は、撮像画像の画質が良好な場合であっても、その旨の表示を行うため、撮影の都度、保存された撮像画像を確認するのは面倒であると考えるユーザに対して利便性の高い撮像装置を提供できる。撮像装置１のユーザは、撮像画像の画質に問題がないかを改めて確認する必要もなくなるためである。
【００５８】
上記の実施形態の一部又は全部は、以下の付記のようにも記載され得るが、以下には限られない。
【００５９】
［付記１］
上述の第１の視点に係る撮像装置のとおりである。
［付記２］
前記判定部は、前記撮像画像から得られる特徴量に基づいて、前記撮像画像の画質の良否を判定する付記１の撮像装置。
［付記３］
前記判定部は、前記撮像画像から得られるコントラスト値を用いて、前記撮像画像の画質の良否を判定する付記１又は２の撮像装置。
［付記４］
前記判定部は、
前記撮像画像に対応する撮像前の画像から得られるコントラスト値の第１のピーク値と、
前記撮像画像から得られるコントラスト値の第２のピーク値と、
の差分値が、所定の範囲に含まれるか否かに応じて、前記撮像画像の画質の良否を判定する付記１乃至３のいずれか一に記載の撮像装置。
［付記５］
前記判定部は、
オートフォーカス機能が焦点を定める際のフォーカス領域に対応する画像から、前記第１のピーク値を算出すると共に、
前記撮像画像の前記フォーカス領域に対応する画像から、前記第２のピーク値を算出する付記４の撮像装置。
［付記６］
筐体の内部に配設された加速度センサを備え、
前記判定部は、画像を撮像する前後の前記加速度センサの出力値の変化に基づいて、前記撮像画像の画質の良否を判定する付記１乃至５のいずれか一に記載の撮像装置。
［付記７］
前記画質通知部は、前記判定部により前記撮像画像の画質が良好であると判定された場合には、前記表示部に前記撮像画像の画質はユーザの意図に沿った画質であることを表示する付記１乃至６のいずれか一に記載の撮像装置。
［付記８］
前記画質通知部は、前記判定部により前記撮像画像の画質が不良であると判定された場合には、前記表示部に前記撮像画像の画質はユーザの意図に反する画質であることを表示する付記１乃至７のいずれか一に記載の撮像装置。
［付記９］
上述の第２の視点に係る撮像装置の制御方法のとおりである。
［付記１０］
前記画質判定工程は、前記撮像画像から得られる特徴量に基づいて、前記撮像画像の画質の良否を判定する付記９の撮像装置の制御方法。
［付記１１］
前記画質判定工程は、前記撮像画像から得られるコントラスト値を用いて、前記撮像画像の画質の良否を判定する付記９又は１０の撮像装置の制御方法。
［付記１２］
前記画質判定工程は、
前記撮像画像に対応する撮像前の画像から得られるコントラスト値の第１のピーク値と、
前記撮像画像から得られるコントラスト値の第２のピーク値と、
の差分値が、所定の範囲に含まれるか否かに応じて、前記撮像画像の画質の良否を判定する付記９乃至１１のいずれか一に記載の撮像装置の制御方法。
［付記１３］
前記画質判定工程は、
オートフォーカス機能が焦点を定める際のフォーカス領域に対応する画像から、前記第１のピーク値を算出すると共に、
前記撮像画像の前記フォーカス領域に対応する画像から、前記第２のピーク値を算出する付記１２の撮像装置の制御方法。
［付記１４］
前記撮像装置は、筐体の内部に配設された加速度センサを備え、
前記画質判定工程は、画像を撮像する前後の前記加速度センサの出力値の変化に基づいて、前記撮像画像の画質の良否を判定する付記９乃至１３のいずれか一に記載の撮像装置の制御方法。
［付記１５］
前記画質通知工程は、前記画質判定工程により前記撮像画像の画質が良好であると判定された場合には、前記表示部に前記撮像画像の画質はユーザの意図に沿った画質であることを表示する付記９乃至１４のいずれか一に記載の撮像装置の制御方法。
［付記１６］
前記画質通知工程は、前記画質判定工程により前記撮像画像の画質が不良であると判定された場合には、前記表示部に前記撮像画像の画質はユーザの意図に反する画質であることを表示する付記９乃至１５のいずれか一に記載の撮像装置の制御方法。
［付記１７］
上述の第３の視点に係るプログラムのとおりである。
［付記１８］
前記画質判定処理は、前記撮像画像から得られる特徴量に基づいて、前記撮像画像の画質の良否を判定する付記１７のプログラム。
［付記１９］
前記画質判定処理は、前記撮像画像から得られるコントラスト値を用いて、前記撮像画像の画質の良否を判定する付記１７又は１８のプログラム。
［付記２０］
前記画質判定処理は、
前記撮像画像に対応する撮像前の画像から得られるコントラスト値の第１のピーク値と、
前記撮像画像から得られるコントラスト値の第２のピーク値と、
の差分値が、所定の範囲に含まれるか否かに応じて、前記撮像画像の画質の良否を判定する付記１７乃至１９のいずれか一に記載のプログラム。
［付記２１］
前記画質判定処理は、
オートフォーカス機能が焦点を定める際のフォーカス領域に対応する画像から、前記第１のピーク値を算出すると共に、
前記撮像画像の前記フォーカス領域に対応する画像から、前記第２のピーク値を算出する付記２０のプログラム。
［付記２２］
前記撮像装置は、筐体の内部に配設された加速度センサを備え、
前記画質判定処理は、画像を撮像する前後の前記加速度センサの出力値の変化に基づいて、前記撮像画像の画質の良否を判定する付記１７乃至２１のいずれか一に記載のプログラム。
［付記２３］
前記画質通知処理は、前記画質判定処理により前記撮像画像の画質が良好であると判定された場合には、前記表示部に前記撮像画像の画質はユーザの意図に沿った画質であることを表示する付記１７乃至２２のいずれか一に記載のプログラム。
［付記２４］
前記画質通知処理は、前記画質判定処理により前記撮像画像の画質が不良であると判定された場合には、前記表示部に前記撮像画像の画質はユーザの意図に反する画質であることを表示する付記１７乃至２３のいずれか一に記載のプログラム。
【００６０】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６１】
１、１００  撮像装置
１０  液晶パネル
２０  タッチパネル
３０  レンズ
４０  カメラモジュール
５０  ＤＳＰ
６０  ＣＰＵ
７０  ＲＡＭ
８０  ＨＤＤ
１０１  表示部
１０２  記憶部
１０３  判定部
１０４  画質通知部
２０１  プレビュー画面
２０２  操作釦
２０３  フォーカス領域
２０４  ポップアップ領域
【図１】
2014107748.tif 000003
【図２】
2014107748.tif 000004
【図３】
2014107748.tif 000005
【図４】
2014107748.tif 000006
【図５】
2014107748.tif 000007
【図６】
2014107748.tif 000008